(57)【要約】【課題】  フックの使用時において、制動手段の歯車が露出することがないハンガーフックを提供する。【解決手段】  回転ダンパ３５のダンパ回転軸にギア３６を形成し、ギア３６に噛み合うラック３２をフックケーシング４に形成する。ギア３６とラック３２との噛み合いによってフック３の旋回移動を回転ダンパ３５に伝達可能とし、フック３の旋回移動を抑制している。フック３の基端部５であって、壁面３９の間に回転ダンパ３５を形成し、この回転ダンパ３５のダンパ回転軸に沿ってギア３６を形成している。壁面３９の外面１２からケーシング本体１５の内部に向かう起立寸法ｔは、少なくともギア３６が取り付けられる位置においては、ギア３６の直径よりも大きくなるようにしている。【選択図】図６
2010017482.tif 000002
【特許請求の範囲】
【請求項１】
フックケーシングと、前記フックケーシングに収納されるとともに前記フックケーシングから旋回可能に形成されたフックと、前記フックを収納方向に付勢する付勢手段と、前記フックの旋回動作を抑制する制動手段とを含むハンガーフックにおいて、
前記フックは、フック回転軸が形成される基端部と、前記基端部から延びるアーム部と、前記アーム部の先端に位置する先端部とを含み、
前記制動手段は、前記フック回転軸に形成された回転ダンパを含み、
前記回転ダンパのダンパ回転軸にギアが形成され、前記フックケーシングには前記ギアに噛み合うラックが形成され、前記ギアと前記ラックとの噛み合いによって前記フックの旋回移動を前記回転ダンパに伝達可能としたことを特徴とする前記ハンガーフック。
【請求項２】
前記フックは、前記フックケーシングの開口を覆う外面と、前記外面から前記フックケーシング内部に向かって起立する一対の壁面とを含み、
前記回転ダンパは、前記壁面の起立寸法よりも小さい請求項１記載のハンガーフック。
【請求項３】
前記回転ダンパは、ダンパケーシングと、前記ダンパケーシングの開口を覆うキャップと、前記ダンパケーシング内を回転可能な回転体と、前記ダンパケーシング内に充填された粘性流体とを含み、
前記ダンパ回転軸は、前記回転体と一体回転可能であってその一端を前記ダンパケーシング外に位置させ、前記ギアは、前記ダンパ回転軸の一端に形成され前記回転体と一体回転可能である請求項１または２に記載のハンガーフック。
【請求項４】
前記フックケーシングは、ケーシング本体と、ケーシング本体の底面に接触するカバーとを含み、前記カバーは前記ケーシング本体内に向かって略直角に突出する一対の突出部を含み、
前記ラックは、前記突出部の間に形成され、前記ケーシング本体内に向かって突出する請求項１〜３のいずれかに記載のハンガーフック。
【発明の詳細な説明】
【技術分野】
【０００１】
この発明は、建造物の壁等に埋め込まれ、使用時にフックを壁等から突出させるハンガーフックに関する。
【背景技術】
【０００２】
従来、ハンガーフックとして、例えば特開２００５−２４５５５４号公報（特許文献１）が公知である。この文献によれば、フックとフックを収納するケーシングとを備え、フックがケーシングから旋回して開くように出てくることによって、フックに衣服等をかけることができるようにしている。フックには、ケーシングへの戻り方向、すなわちケーシングに収納される方向に付勢するスプリングを取り付けている。フックの回転軸には、セクタ歯車が形成され、ケーシングにはセクタ歯車にかみ合う制動歯車を取り付けている。したがって、ケーシングに戻ろうとするフックを緩動作に制御することができる。このようにケーシングに戻ろうとするフックを緩動作に制御することによって、衣服をかけようとしたときに、すばやくフックが戻ってしまい、衣服がかけられないという不都合を解消することができる。
【特許文献１】特開２００５−２４５５５４号公報
【発明の開示】
【発明が解決しようとする課題】
【０００３】
フックの回転軸にはセクタ歯車が形成されているので、フックがケーシングから大きく旋回した場合には、セクタ歯車がケーシングから露出される可能性があった。歯車がケーシングから露出されることによって、フックにかけた衣服が食い込まれたりするのではないかという危惧を利用者に与える可能性がある。
【０００４】
この発明では、フックの使用時において、制動手段の歯車が露出することがないハンガーフックを提供することを課題とする。
【課題を解決するための手段】
【０００５】
この発明は、フックケーシングと、前記フックケーシングに収納されるとともに前記フックケーシングから旋回可能に形成されたフックと、前記フックを収納方向に付勢する付勢手段と、前記フックの旋回動作を抑制する制動手段とを含むハンガーフックの改良に関わる。
【０００６】
この発明は前記ハンガーフックにおいて、前記フックは、フック回転軸が形成される基端部と、前記基端部から延びるアーム部と、前記アーム部の先端に位置する先端部とを含み、前記制動手段は、前記フック回転軸に形成された回転ダンパを含み、前記回転ダンパのダンパ回転軸にギアが形成され、前記フックケーシングには前記ギアに噛み合うラックが形成され、前記ギアと前記ラックとの噛み合いによって前記フックの旋回移動を前記回転ダンパに伝達可能としたことを特徴とする。
【０００７】
好ましい実施態様のひとつとして、前記フックは、前記フックケーシングの開口を覆う外面と、前記外面から前記フックケーシング内部に向かって起立する一対の壁面とを含み、前記回転ダンパは、前記壁面の起立寸法よりも小さい。
【０００８】
好ましい他の実施態様のひとつとして、前記回転ダンパは、ダンパケーシングと、前記ダンパケーシングの開口を覆うキャップと、前記ダンパケーシング内を回転可能な回転体と、前記ダンパケーシング内に充填された粘性流体とを含み、前記ダンパ回転軸は、前記回転体と一体回転可能であってその一端を前記ダンパケーシング外に位置させ、前記ギアは、前記ダンパ回転軸の一端に形成され前記回転体と一体回転可能である。
【０００９】
好ましい他の実施態様のひとつとして、前記フックケーシングは、ケーシング本体と、ケーシング本体の底面に接触するカバーとを含み、前記カバーは前記ケーシング本体内に向かって略直角に突出する一対の突出部を含み、前記ラックは、前記突出部の間に形成され、前記ケーシング本体内に向かって突出する。
【発明の効果】
【００１０】
回転ダンパのダンパ回転軸にギアを形成し、ギアに噛み合うラックをフックケーシングに形成することとした。ギアはフック回転軸と同軸上に形成されるので、フックが大きく旋回したとしても、ギアがフックケーシング外に露出されることがない。したがって、ギアに衣服等が食い込まれるという懸念を、使用者に抱かせることがない。
【００１１】
回転ダンパは、フックの壁面の起立寸法よりも小さくすることとした。すなわち、回転ダンパは壁面で覆われて、その外部に露出されることがない。したがって、より一層ギアに衣類が食い込まれるという懸念を排除することができる。
【００１２】
回転ダンパは、ダンパケーシングと、ダンパケーシングの開口を覆うキャップと、ダンパケーシング内を回転可能な回転体と、ダンパケーシング内に充填された粘性流体とを含むこととした。ダンパ回転軸は、回転体と一体回転可能であってその一端をダンパケーシング外に位置させ、ダンパ回転軸の一端に回転体と一体回転可能なギアを形成することとした。したがって、回転体、ダンパ回転軸およびギアが、ダンパケーシングに相対的に回転可能となり、回転体がダンパケーシングに対して回転することによって、制動力を得ることができる。
【００１３】
フックケーシングは、ケーシング本体と、ケーシング本体の底面に接触するカバーとを含み、カバーにラックを形成することとした。したがって、ケーシング本体に直接ラックを形成する場合に比べて、その形成が容易となり製造コストの低減を図ることができる。また、突出部をケーシング本体に形成した挿入ノッチに組み付けることによって、これらの組立が容易になる。
【発明を実施するための最良の形態】
【００１４】
ハンガーフックの一実施形態を図１〜７を用いて説明する。ハンガーフック１は縦方向Ｙとこれに直交する横方向Ｘとを有している。
図１はハンガーフック１が壁２に取り付けられたときの斜視図であり、フック３がフックケーシング４に収納された状態を実線で示し、仮想線でフック３が縦方向Ｙの上方から下方に向かって旋回した状態を示している。図２はハンガーフック２の組立分解図、図３はハンガーフック１の正面図、図４はハンガーフックの背面図、図５は図４のＶ−Ｖ線断面図、図６はフック３が旋回したときの説明図、図７は回転ダンパ３５の断面図である。
【００１５】
図１〜６に示したように、ハンガーフック１は、衣服等をかけることが可能であり縦方向Ｙに延びるフック３と、フック３が収納されるフックケーシング４とを含み、フックケーシング４からフック３を突出させて使用する。フック３は、その縦方向Ｙの一端をフックケーシング４に旋回可能に取り付けられた基端部５と、基端部５から縦方向Ｙに延びるアーム部６と、アーム部６の先端に位置しフックケーシング４側に向かって凸部７ａを形成する先端部７とを含む。
【００１６】
フックケーシング４は、ケーシング本体１５とカバー１６とを含む。ケーシング本体１５は、底面１８と、底面１８から起立する外周壁１９と、外周壁１９を介して底面１８と対向する開口２０とを含み、開口２０には外周壁１９から略垂直に外側へと延びるフランジ２１が形成されている。フックケーシング４は、建造物の壁等に取り付けられるが、カバー１６，底面１８および外周壁１９を建造物に埋め込み、開口２０が建造物の壁に位置するように、フランジ２１を建造物の壁等に当接させる。
【００１７】
ケーシング本体１５の外周壁１９には、フック回転軸８を支持する一対の軸受け９が形成され、軸受け９にフック３を挿入可能にするために、その周囲には挿入ノッチ２２が底面１８および外周壁１９の一部に形成されている。これら挿入ノッチ２２を塞ぐように、ケーシング本体１５の底面１８には、カバー１６が取り付けられる。カバー１６には、底面１８に接合可能とするためのねじ孔２４を形成し、ねじ孔２４を介してねじ２６をケーシング本体１５にねじ込み、ケーシング本体１５とカバー１６とを結合する。さらに、カバー１６には、図示しない取り付けブラケットを固定するための取り付け孔２７が形成され、このブラケットを介してケーシング本体１５およびカバー１６を含むフックケーシング４が建造物に取り付けられる。
【００１８】
カバー１６は、ケーシング本体１５の底面１８に接触する接触面３０と、接触面３０からケーシング本体１５内に向かって略直角に突出し挿入孔２２を塞ぐ一対の突出部３１と、これら突出部３１の横方向Ｘの間に位置するラック３２とを含む。ラック３２は、接触面３０からケーシング本体１５内に向かって略直角に突出して形成されている。
【００１９】
ラック３２は、回転ダンパ３５に形成されたギア３６に噛み合う。
図７に示したように、回転ダンパ３５は、ダンパケーシング４６と、ダンパケーシング４６の開口を覆うキャップ４７と、ダンパケーシング４６の内部を回転する回転体４８と、回転体４８に一体的なダンパ回転軸４９とを含む。ダンパ回転軸４９は、回転体４８と一体的に回転可能であって、その一端をダンパケーシング４６の外部に延出させている。ギア３６はこのダンパ回転軸４９の延出した一端に固定され、ダンパ回転軸４９、ギア３６および回転体４８が、一体となってダンパケーシング４６に対して相対的に回転可能である。ダンパケーシング４６には粘性流体５０が充填され、回転体４８がダンパケーシング４６と相対的に回転すると、粘性流体５０によって回転体４８の回転に対して粘性抵抗を示す。
ダンパケーシング４６には、ねじ孔４１を形成し、ねじ４２によって回転ダンパ３５がフック３に対して固定される。
【００２０】
フック３は、基端部５に位置するフック回転軸８をフックケーシング４に形成した軸受け９に挿入することにより、フックケーシング４に対して旋回可能に取り付けられる。フック３はフックケーシング４側に位置する内面１１と、その反対の外面１２とを含み、フック３の基端部５であってその外面１２には、外面１２から突出する押圧部１３を形成している。この押圧部１３を内面１１側に押し付けることによって、フック３を縦方向Ｙの上方から下方に向かって旋回させ、フックケーシング４の外側へ突出させることができる。フック３がフックケーシング４から旋回すると、先端部７の凸部７ａが露出し、アーム部６に衣服等をかけたときに、凸部７ａによって衣服等がアーム部６から滑り落ちるのを防止することができる。
【００２１】
フック３は、外面１２から略垂直にケーシング本体１５の内部に起立する一対の壁面３９を含む。壁面３９は、フック３の収納時にはケーシング本体１５の外周壁１９に対して縦方向Ｙに沿って延びる。これら壁面３９の間であってその一方に、ねじ４２によって回転ダンパ３５が取り付けられる。このときフック回転軸８と回転ダンパ３５のダンパ回転軸４９とを、同一軸線上に位置させている。
【００２２】
上記のようなフック３をフックケーシング４に取り付けたとき、フックケーシング４のラック３２の歯先３３がギア３６の歯溝３７に位置し、ラック３２の歯溝３４がギア３６の歯先３８に位置して、それらが噛み合う位置関係にしている。したがってフック３が旋回したときには、フック３に固定されたダンパケーシング４６がこれに付随して一体的に回転するが、ギア３６がラック３２と噛み合っているのでギア３６の回転は規制され、ギア３６とダンパケーシング４６とが相対的に回転する。回転体４８は、ダンパ回転軸４９を介してギア３６と一体的に回転するので、ダンパ回転軸４９がダンパケーシング４６と相対的に回転し、粘性抵抗を示す。
【００２３】
フック回転軸８には、フック３をケーシング本体１５の内部側に付勢する付勢手段としてスプリング４３が取り付けられている。スプリング４３はシャフト４０によって支持されている。スプリング４３はその一方をフックケーシング４に当接させ、他方をフック３の内側に当接させている。また、ケーシング本体１５の底面１８であってその内側には、フック３の衝突を干渉するクッションゴム４４を取り付けている。
【００２４】
上記のようなハンガーフック１を使用したときの作用を説明する。
図６に示したように、上記のようなハンガーフック１において、これを使用するときには、フック３の押圧部１３を指で押し付ける。フック３はフック回転軸８を中心に縦方向Ｙの上方から下方へと旋回し、アーム部６および先端部７がケーシング本体１５の内部からその外部へと突出する。押圧部１３を指で押し付けることによって、押圧部１３がケーシング本体１５の内部に向かって移動するので、押圧部１３に当接されたスプリング４３がたわむ。フック３はスプリング４３によってケーシング本体１５の内側方向に旋回するように付勢されている。
【００２５】
押圧部１３を押し付けるのをやめたり、フック３に引っかけた衣類を外したりすれば、スプリング４３の付勢によって、アーム部６および先端部７がケーシング本体１５の内部へと旋回する。すなわち、フック３は再びフックケーシング４に収納されるように移動して、図５に示した状態に戻る。
【００２６】
フック３がスプリング４３の付勢によって、フックケーシング４に収納されるように移動すると、フック３に固定された回転ダンパ３５のダンパケーシング４６がフック３と一体的に回転する。したがってダンパケーシング４６と回転体４８とが相対的に回転して、回転動作が抑制される。すなわち、ダンパケーシング４６が固定されたフック３の旋回動作が抑制され、フック３はスプリング４３の付勢に抗して、旋回動作を緩めながらフックケーシング４内に戻る。
このように、フック３がケーシング本体１５の内部に戻るときには、そのスピードがゆっくりとなるので、衣類をかける前にフック３がケーシング本体１５の内部に戻ってしまうという煩わしさを回避することができる。また、フック３にかけた衣類を外したときに、フック３がケーシング本体１５の内部に勢いよく戻ってしまい、衣類等がフック３とケーシング本体１５との間に引っかかってしまったりするのを防止することができる。
【００２７】
フック３の基端部５であって、壁面３９の間に回転ダンパ３５を形成し、この回転ダンパ３５のダンパ回転軸に沿ってギア３６を形成している。図６に示したように、壁面３９の外面１２からケーシング本体１５の内部に向かう起立寸法ｔは、少なくともギア３６が取り付けられる位置においては、ギア３６の直径よりも大きくなるようにしている。したがって、フック３の内部からギア３６がはみ出すことがない。すなわち、ギア３６がフック３の壁面３９に覆われるので、フック３が旋回したときでも、ギア３６がフック３の外部に露出されることはない。ギア３６が露出されないので、フック３が旋回したときに、衣類がギアに巻き込まれるのではないかという懸念を、使用者に抱かせることがない。したがって、使用者は安心してフックを利用することができる。
【００２８】
この実施形態では、ギア３６が完全に壁面３９で覆われるようにしているが、その一部が壁面３９からはみ出してもよく、使用者に不安を抱かせない程度のものであればよい。この実施形態では、フック３が旋回してもギア３６は回転することがないので、ギア３６が壁面３９からはみ出していたとしても、ギア３６に衣服が巻き込まれるという事態は生じないからである。
【００２９】
ラック３２は、カバー１６に形成された突出部分に形成し、その後、ケーシング本体１５にカバー１６を取り付けるようにしているので、ケーシング本体１５内に直接ラック３２を形成する場合に比べて、その形成が容易であり、製造コストの低減を図ることができる。
カバー１６には突出部３１を形成し、この突出部３１をケーシング本体１５の挿入ノッチ２２に挿入するだけで、フックケーシング４を形成することができるだけでなく、カバー１６とケーシング本体１５との位置合わせを容易に行うことができる。
【００３０】
この実施形態において、付勢手段としてスプリング４３を用いているが、このタイプのスプリングに限ったものではなく、また、必ずしもスプリングに限定されるものではなく、他の付勢手段を用いてもよい。すなわち、付勢手段としてはフック３がケーシング内に戻る方向に付勢できるものであればよい。
【図面の簡単な説明】
【００３１】
【図１】ハンガーフックの使用状態の説明図
【図２】ハンガーフックの組立分解図
【図３】ハンガーフックの正面図
【図４】ハンガーフックの背面図
【図５】図４のＶ−Ｖ線断面図
【図６】図５の使用状態の説明図
【図７】回転ダンパの断面図
【符号の説明】
【００３２】
１    ハンガーフック
４    フックケーシング
５    基端部
６    アーム部
７    先端部
８    フック回転軸
１２    外面
１５    ケーシング本体
１６    カバー
３２    ラック
３５    回転ダンパ（制動手段）
３６    ギア
３９    壁面
４０    シャフト
４３    スプリング（付勢手段）
４６    ダンパケーシング
４７    キャップ
４８    回転体
４９    ダンパ回転軸
５０    粘性流体
【図１】
2010017482.tif 000003
【図２】
2010017482.tif 000004
【図３】
2010017482.tif 000005
【図４】
2010017482.tif 000006
【図５】
2010017482.tif 000007
【図６】
2010017482.tif 000008
【図７】
2010017482.tif 000009